(57)【要約】  本発明は通路の底に設置される遮水板、前記底の両側壁に設置されるレール、および前記遮水板を昇降させる駆動部を含み、前記駆動部の動作時に前記遮水板が前記レールに沿って昇降することを特徴とする遮水装置を提供する。
2021531427.tif 000002
【特許請求の範囲】
【請求項１】
通路の底と同一方向に設置される遮水板；
前記底の両側壁に曲線の領域を具備するように設置されるレール；および
前記遮水板を昇降させる駆動部；
を含み、
前記遮水板は相互に離隔配置される複数の支持フレームを含み、
複数の前記支持フレームの一面には防水部材が連結され、
前記駆動部の動作時に前記遮水板が前記レールに沿って曲がりながら昇降することを特徴とする、遮水装置。
【請求項２】
前記駆動部は底または側壁に設置されることを特徴とする、請求項１に記載の遮水装置。
【請求項３】
水位を感知する水位計；
前記水位計を通じて感知される水位情報を受けて前記駆動部の動作を制御して前記遮水板の高さを制御する制御部；をさらに含む、請求項１に記載の遮水装置。
【請求項４】
前記支持フレームは軸方向から突出する結合部を含み、前記結合部はチェーンを通じて連結されることを特徴とする、請求項１に記載の遮水装置。
【請求項５】
前記支持フレームは弾性材質の連結部を通じて連結されることを特徴とする、請求項１に記載の遮水装置。
【請求項６】
前記支持フレームは一対の挿入ホールが向かい合うように形成され、
前記連結部は連結胴体および前記挿入ホールに挿入される挿入部が前記連結胴体の端部にそれぞれ配置されて、互いに異なるフレームに挿入されることを特徴とする、請求項５に記載の遮水装置。
【請求項７】
前記連結部の前記挿入部の間には少なくとも一つの突出部が備えられることを特徴とする、請求項６に記載の遮水装置。
【請求項８】
前記突出部と向かい合うように配置される前記支持フレームは傾斜または曲面を有することを特徴とする、請求項７に記載の遮水装置。
【請求項９】
底と同じ方向に配置される遮水板；
前記遮水板の移動をガイドするように曲線の領域を具備するガイド部；および
前記ガイド部に沿って遮水板を移動させる駆動部；
を含み、
前記遮水板は
複数のプレートが回転可能に連結される胴体部と
前記胴体部の外側面を取り囲むように配置される弾性部材を含み、
前記ガイド部は一対の向かい合う溝構造で設けられ、
前記ガイド部の端部には前記ガイド部の長さ方向に一側が連結される自由端構造のシーリング部材が備えられ、
前記シーリング部材は浸水が発生する場合、水圧を通じて水密構造を形成することを特徴とする、遮水装置。
【請求項１０】
前記胴体部は
少なくとも二つ以上の溝部と少なくとも二つ以上の突起部を具備する前記プレートの連結で構成され、
前記溝部には隣り合う前記プレートの前記突起部が配置され、
前記溝部が形成されるプレートと前記突起部を貫通する回転軸を含む、請求項９に記載の遮水装置。
【請求項１１】
前記駆動部は
駆動モータおよび前記駆動モータと連結されて遮水板を昇降させる連結部を含む、請求項９に記載の遮水装置。
【請求項１２】
前記遮水板は底に形成される挿入溝に挿入配置されて、前記駆動部の駆動を通じて昇降することを特徴とする、請求項９に記載の遮水装置。
【請求項１３】
前記挿入溝の端部には回動可能な開閉部が備えられることを特徴とする、請求項１２に記載の遮水装置。
【請求項１４】
前記開閉部の端部は傾斜または曲面の構造を有することを特徴とする、請求項１３に記載の遮水装置。
【請求項１５】
前記胴体部と前記弾性部材は結合部を通じて結合することを特徴とする、請求項９に記載の遮水装置。
【発明の詳細な説明】
【技術分野】
【０００１】
実施例は遮水装置に関する。より詳細には、平常時は底に埋め立てられた状態で廊下の壁に沿って昇降可能な構造の遮水装置に関する。
【背景技術】
【０００２】
一般的に出入口用防水装置または遮水装置は、建物の出入口に設置されて建物の内部に水が入ってくることを防止できるようにしたものであって、集中豪雨時、排水が円滑でないため浸水しやすい常習浸水地域にある建物の出入口に主に設置される。
【０００３】
代表的な常習浸水地域である低地帯の場合、密集住宅街または地下住宅および地下商店街、工場などのような所で、毎年梅雨の時期には集中豪雨による浸水被害が心配されて不安な生活を繰り返しているのが実情である。
【０００４】
また、支線道路（ａｃｃｅｓｓ  ｒｏａｄ）は地域住民の日常生活に密着している道路であって、都市内においては区画道路と呼んだりもする。このような支線道路は大抵道路の幅が狭く、地域住民の日常生活と密着しているため、集中豪雨が発生する夏場の洪水期である７、８月頃に主幹線道路から流入した雨水によって習慣的に浸水被害が発生して、多くの財産被害や人的被害を引き起こしている。
【０００５】
特に、韓国の気候特性上、夏場の洪水期に集中的な豪雨が発生して多くの浸水被害を与えており、最近では大規模の宅地造成、道路建設などのように、緻密な都市計画なしに開発された市街地化の増大などによって水の集中現象が大きく変化して予想されなかった被害が発生する恐れがあるため、これに対する対策として、低地帯の住宅街密集地域や支線道路と隣接している地域の住民たちは浸水被害を早期に防止するための方策の一環として建物の出入口に遮水装置を設置している。
【０００６】
しかし、過去の遮水装置は固定支柱が建物の出入口の両側壁に半永久的に固定設置されるため、浸水被害が予想される期間以外の期間にも前記固定支柱を除去できずにそのまま放置せざるを得なかった。このように平常時にも建物の出入口に放置された固定支柱は見るからにも陰険であるだけでなく、設置された建物が浸水被害が予想されるという点を露骨的に表わすものであるため、建物の価格の下落要因として作用する問題点があった。
【０００７】
最近では、このように固定支柱による問題点を改善するために、出入口の両側壁に常時固定されるようにした醜い固定支柱を設置せずとも圧着方式によって手軽で安定的に設置できるようにした改善された形態の遮水装置が韓国登録特許第１１７３３０４号（２０１２．０８．０６）に開示されている。
【０００８】
前記韓国登録特許第１１７３３０４号を通じて開示された遮水装置は、建物の出入口を横切って立てられるようにした本体パネルと、本体パネルの左側と右側で左右の幅を拡張できるようにそれぞれ左右方向に変位可能に設置される一対の拡張パネルと、本体パネルの前面に設置され、拡張パネルを押して建物の出入口の両側壁に圧着させるプッシュ部材を含んで構成されたものであって、出入口の両側壁に常時固定されるようにした醜い固定支柱を設置せずとも圧着方式によって手軽で安定的に設置され、てこ作用によって出入口の両側壁に対して拡張パネルを強力な力で圧着することが可能であるため、高い水密性を確保することはもちろん、前面から作用する水の圧力を安定的に耐え得るという点で過去の遮水装置に比べて多様な長所を有していた。
【０００９】
しかし、このような従来技術による遮水装置の場合、遮水が必要な状況になると作業者がいちいち設置しなければならない仮設物に過ぎないため運用による煩雑さが大きいという問題点があった。
【発明の概要】
【発明が解決しようとする課題】
【００１０】
実施例は雨水の流入量や浸水状態に応じて自動で設置が可能な遮水装置を提供する。
【００１１】
また、浸水する水の高さに応じて昇降可能な遮水装置を提供することを目的とする。
【００１２】
本発明が解決しようとする課題は以上で言及された課題に限定されず、ここで言及されていないさらに他の課題は下記の記載から当業者に明確に理解され得るであろう。
【課題を解決するための手段】
【００１３】
本発明の実施例は、通路の底に設置される遮水板；前記底の両側壁に設置されるレール；および前記遮水板を昇降させる駆動部；を含み、前記駆動部の動作時に前記遮水板が前記レールに沿って昇降することを特徴とする遮水装置を提供する。
【００１４】
好ましくは、前記駆動部は底または側壁に設置されることを特徴とすることができる。
【００１５】
好ましくは、水位を感知する水位計；前記水位計を通じて感知される水位情報を受けて前記駆動部の動作を制御して前記遮水板の高さを制御する制御部；をさらに含むことができる。
【００１６】
好ましくは、前記遮水板は複数の支持フレームが連結される構造で設けられることを特徴とすることができる。
【００１７】
好ましくは、前記支持フレームは軸方向から突出する結合部を含み、前記結合部はチェーンを通じて連結されることを特徴とすることができる。
【００１８】
好ましくは、前記支持フレームは弾性材質の連結部を通じて連結されることを特徴とすることができる。
【００１９】
好ましくは、前記支持フレームは一対の挿入ホールが向かい合うように形成され、前記連結部は連結胴体および前記挿入ホールに挿入される挿入部が前記連結胴体の端部にそれぞれ配置されて互いに異なるフレームに挿入されることを特徴とすることができる。
【００２０】
好ましくは、前記連結部の前記挿入部の間には少なくとも一つの突出部が備えられることを特徴とすることができる。
【００２１】
好ましくは、前記突出部と向かい合うように配置される前記支持フレームは傾斜または曲面を有することを特徴とすることができる。
【００２２】
好ましくは、前記支持フレームの一面には防水部材が連結されることを特徴とすることができる。
【００２３】
本発明のさらに他の実施例は、底に配置される遮水板；前記遮水板の移動をガイドするガイド部；および前記ガイド部に沿って遮水板を移動させる駆動部；を含み、前記遮水板は複数のプレートが回転可能に連結される胴体部と前記胴体部の外側面を取り囲むように配置される弾性部材を含むことを特徴とする遮水装置を提供する。
【００２４】
好ましくは、前記胴体部は少なくとも二つ以上の溝部と少なくとも二つ以上の突起部を具備する前記プレートの連結で構成され、前記溝部には隣り合う前記プレートの前記突起部が配置され、前記溝部が形成されるプレートと前記突起部を貫通する回転軸を含むことができる。
【００２５】
好ましくは、前記駆動部は駆動モータおよび前記駆動モータと連結されて遮水板を昇降させる連結部を含むことができる。
【００２６】
好ましくは、前記ガイド部は一対の向かい合う溝構造で設けられ、前記ガイド部の端部にはシーリング部材が備えられることを特徴とすることができる。
【００２７】
好ましくは、前記弾性部材は自由端構造を具備することを特徴とすることができる。
【００２８】
好ましくは、前記遮水板は底に形成される挿入溝に挿入配置されて前記駆動部の駆動を通じて昇降することを特徴とすることができる。
【００２９】
好ましくは、前記挿入溝の端部には回動可能な開閉部が備えられることを特徴とすることができる。
【００３０】
好ましくは、前記開閉部の端部は傾斜または曲面の構造を有することを特徴とすることができる。
【００３１】
好ましくは、前記胴体部と前記結合部材は結合部を通じて結合することを特徴とすることができる。
【発明の効果】
【００３２】
実施例によると、人が直接遮水板を設置せずとも浸水を遮断できる効果がある。
【００３３】
また、浸水状態に応じて昇降可能なように設けられて現場の状況に適切に対応できる効果がある。
【００３４】
本発明の多様かつ有益な長所と効果は前述した内容に限定されず、本発明の具体的な実施形態を説明する過程でより容易に理解され得るであろう。
【図面の簡単な説明】
【００３５】
【図１】本発明の一実施例に係る遮水装置の構造を示す斜視図である。
【図２】図１の細部構造を示す図面である。
【図３】本発明のさらに他の実施例に係る遮水装置の構造を示す図面である。
【図４】図３の駆動を示す図面である。
【図５】遮水板の結合構造を示す図面である。
【図６】支持フレームの構造を示す図面である。
【図７】図５の遮水板の細部構造を示す図面である。
【図８】遮水板の動作を示す図面である。
【図９】本発明のさらに他の実施例に係る遮水装置の側面図である。
【図１０】図９の動作状態を示す図面である。
【図１１】図９の構成要素である胴体部の構造を示す図面である。
【図１２】図９の構成要素である遮水板の構造を示す図面である。
【図１３】図９を正面から見た図面である。
【図１４】図９の遮水装置が底に設置された状態を示す図面である。
【図１５】図９の遮水装置が底に配置時の開閉部と配置構造を示す図面である。
【図１６】図１５の開閉部の動作構造を示す図面である。
【発明を実施するための形態】
【００３６】
以下、添付された図面を参照して本発明の好ましい実施例を詳細に説明する。
【００３７】
ただし、本発明の技術思想は説明される一部の実施例に限定されるものではなく、互いに異なる多様な形態で具現され得、本発明の技術思想の範囲内であれば、実施例間にその構成要素のうち一つ以上を選択的に結合、置換して使うことができる。
【００３８】
また、本発明の実施例で使われる用語（技術および科学的な用語を含む）は、明白に特に定義して記述されない限り、本発明が属する技術分野で通常の知識を有する者に一般的に理解され得る意味で解釈され得、辞書に定義された用語のように一般的に使われる用語は関連技術の文脈上の意味を考慮してその意味を解釈できるであろう。
【００３９】
また、本発明の実施例で使われた用語は実施例を説明するためのものであって、本発明を制限しようとするものではない。
【００４０】
本明細書で、単数型は文面で特に言及しない限り複数型も含むことができ、「Ａおよび（と）Ｂ、Ｃのうち少なくとも一つ（または一つ以上）」と記載される場合、Ａ、Ｂ、Ｃで組み合わせ得るすべての組み合わせのうち一つ以上を含むことができる。
【００４１】
また、本発明の実施例の構成要素を説明するにおいて、第１、第２、Ａ、Ｂ、（ａ）、（ｂ）等の用語を使うことができる。
【００４２】
このような用語はその構成要素を他の構成要素と区別するためのものに過ぎず、その用語によって該当構成要素の本質や順番または順序などに限定されない。
【００４３】
そして、ある構成要素が他の構成要素に「連結」、「結合」または「接続」されると記載された場合、その構成要素はその他の構成要素に直接的に連結、結合または接続される場合だけでなく、その構成要素とその他の構成要素の間にあるさらに他の構成要素によって「連結」、「結合」または「接続」される場合も含むことができる。
【００４４】
また、各構成要素の「上（うえ）または下（した）」に形成または配置されるものと記載される場合、上（うえ）または下（した）は二つの構成要素が互いに直接接触する場合だけでなく、一つ以上のさらに他の構成要素が二つの構成要素の間に形成または配置される場合も含む。また、「上（うえ）または下（した）」と表現される場合、一つの構成要素を基準として上側方向だけでなく下側方向の意味も含むことができる。
【００４５】
以下、添付された図面を参照して実施例を詳細に説明するものの、図面符号にかかわらず同一または対応する構成要素は同じ参照番号を付与し、これに対する重複する説明は省略することにする。
【００４６】
図１〜図１６は、本発明を概念的に明確に理解するために、主な特徴部分だけを明確に図示したものであって、その結果、図解の多様な変形が予想され、図面に図示された特定の形状によって本発明の範囲が制限される必要はない。
【００４７】
図１は本発明の一実施例に係る遮水装置の構造を示す斜視図であり、図２は図１の細部構造を示す図面である。
【００４８】
図１および図２を参照すると、本発明の一実施例に係る遮水装置１は建物または構造物の内部に浸透する水を防ぐための装置であって、通路の底１０に設置される遮水板１１００、底１０の両側壁に設置されるレールおよび遮水板１１００を昇降させる駆動部１３００を含むことができる。
【００４９】
遮水板１１００は板構造で設けられて構造物の通路の底１０に設置され得る。従来の遮水板１１００は屋根から下る構造で設けられたり、浸水が発生する場合に別途に設置する構造が使われた。本発明はこのような不便を解消し、美観上の問題を解決するために、遮水板１１００を底１０の一領域に設置した。
【００５０】
一実施例として、遮水板１１００は底１０を覆う構造で設けられ得、レールに沿って移動時に軟性を有する材質で設けられ得る。
【００５１】
ガイドレール１２００は遮水板１１００が設置される底１０面の両側壁２０に設置され得、遮水板１１００が昇降するガイド役割を遂行することができる。
【００５２】
ガイドレール１２００は、遮水板１１００が設置される底１０面と接するように形成されて駆動部１３００の駆動時に遮水板１１００がガイドレール１２００に沿って移動することができる。一実施例として、ガイドレール１２００は溝構造で形成され得、遮水板１１００が挿入される構造で設けられ得る。
【００５３】
また、ガイドレール１２００は曲線で形成され得る。これは遮水壁が昇降する場合、曲面に沿って上昇するようにして遮水板１１００が破損することを防止することができる。
【００５４】
駆動部１３００は遮水板１１００と連結されて遮水板１１００を昇降させることができる。
【００５５】
駆動部１３００は遮水板１１００の一側と連結されて遮水板１１００を昇降することができ、二つのタイプで配置され得る。
【００５６】
第一に、駆動部１３００は遮水板１１００の下部に配置されて遮水板１１００を上部に押す構造で設けられ得る。この場合、駆動部１３００は美観を考慮して底１０面に挿入される構造で設けられ得る。
【００５７】
第２に、駆動部１３００は遮水板１１００の上部で遮水板１１００を引き上げる構造で設けられ得る。この場合、駆動部１３００は側壁２０に挿入される構造で配置され、遮水板１１００の側面と連結されて遮水板１１００を昇降することができる。この時、遮水板１１００の安定した昇降のために駆動部１３００は一対で設けられて両側壁２０にそれぞれ配置され得る。
【００５８】
図３は本発明のさらに他の実施例に係る遮水装置１の構造を示す図面であり、図４は図３の駆動を示す図面である。
【００５９】
図３および図４を参照すると、本発明の実施例に係る遮水装置１は水位計１４００と制御部１５００を含むことができる。
【００６０】
水位計１４００は遮水装置１付近に設置されて構造物内に流入する水の高さを測定することができ、測定された高さを制御部１５００に伝送することができる。
【００６１】
この場合、制御部１５００は水位計１４００を通じて感知される水位情報を受けて駆動部１３００の動作を制御して遮水板１１００の高さを制御することができる。
【００６２】
従来の遮水板１１００は側壁２０を防ぐ構造で設けられた。しかし、このような構造では人が移動することが不可能であるという問題点があった。本願発明では水位に応じて遮水板１１００の高さが自動で制御されるようにして、浸水初期には人が遮水板１１００を越えて移動できるようにした。
【００６３】
また、遮水板１１００は複数の支持フレーム１１１０が連結される構造で設けられ得る。
【００６４】
遮水装置１が設置される廊下が狭い場合には単一プレート構造で水圧を支持することができるが、廊下の幅が広い場合には単一プレート構造で水圧を支持することが不可能である。
【００６５】
本願発明の遮水板１１００は複数の支持フレーム１１１０が連結される構造で設けられ得る。これを通じて支持フレーム１１１０が水圧を耐える役割を遂行するとともに、遮水板１１００としての役割を遂行することができる。
【００６６】
支持フレーム１１１０の細部連結構造は下記において再び説明することにする。
【００６７】
図５は遮水板１１００の結合構造を示す図面であり、図６は支持フレーム１１１０の構造を示す図面であり、図７は図５の遮水板１１００の細部構造を示す図面である。
【００６８】
図５〜図７を参照すると、遮水板１１００は複数の支持フレーム１１１０が連結される構造で設けられ得る。
【００６９】
支持フレーム１１１０は軸方向から突出する結合部１１１１を含み、結合部１１１１はチェーンを通じて連結され得る。
【００７０】
支持フレーム１１１０は柱状で設けられ得、両側端部がガイドレール１２００に挿入され得る。一実施例として、本体は水圧を耐えるために金属材質で設けられることが好ましく、ガイドレール１２００に沿って移動できるように、円形の断面を有するか隣り合う支持フレーム１１１０と離隔距離を有するように配置され得る。
【００７１】
結合部１１１１は本体の端部から軸方向に突出する構造を具備することができ、チェーンに結合され得る。結合部１１１１の固定方法には制限がなく、ねじ結合などのような多様な方法で結合することができる。
【００７２】
チェーンは結合部１１１１が挿入結合され、一側に駆動部１３００が連結されて遮水板１１００を昇降させることができる。
【００７３】
支持フレーム１１１０は弾性材質の連結部１１２０を通じて連結され得る。
【００７４】
一実施例として、支持フレーム１１１０には一対の挿入ホール１１１３が向かい合うように設けられ得、連結部１１２０は挿入ホール１１１３に挿入される挿入部１１２３が一対で設けられ得る。
【００７５】
挿入部１１２３は連結胴体１１２１を通じて連結され、連結胴体１１２１の両側端部にそれぞれ配置されて互いに異なるフレーム１１１０に挿入され得る。
【００７６】
また、挿入部１１２３は連結胴体１１２１の厚さより大きく設けられて支持フレーム１１１０から離脱を防止することができる。挿入部１１２３は軸方向に結合し、支持フレーム１１１０の中心部を基準として向かい合うように配置され得る。
【００７７】
支持フレーム１１１０は連結部１１２０と交互に結合されて遮水板１１００を形成することができる。
【００７８】
連結部１１２０の挿入部１１２３の間には少なくとも一つの突出部１１２５が備えられ得る。突出部１１２５は支持フレーム１１１０と支持フレーム１１１０の間で支持フレーム１１１０同士の直接的な接触を防止し、支持フレーム１１１０が曲がる場合、一側は引張力が作用し他側は圧縮力が作用し得る。
【００７９】
突出部１１２５と向かい合うように挿入配置される支持フレーム１１１０は傾斜または曲面を具備することができる。支持フレーム１１１０は傾斜または曲面の構造を具備して、遮水板１１００がガイドレール１２００に沿って昇降する場合に曲がるための空間を提供することができる。
【００８０】
支持フレーム１１１０の一面には防水部材１１５０が連結され得る。防水部材１１５０の結合方法は制限がなく、ボンディングまたはねじ結合等の多様な結合方法が使われ得る。防水部材１１５０は遮水板１１００の一面に連結されて水が漏れることを防止することができ、支持フレーム１１１０が底１０に配置される場合、歩行者が不便を感じることを防止することができる。
【００８１】
また、平常時に支持フレーム１１１０が底１０に配置される場合、異物が流入して実際の作動を妨害することを防止することができる。
【００８２】
図８は、遮水板１１００の動作を示す図面である。
【００８３】
図８を参照すると、遮水板１１００がガイドレール１２００に沿って昇降する場合、ガイドレール１２００の曲率に沿って曲がることになる。この時、連結部１１２０の一側は引張力が作用し、他側は圧縮力が作用しながら支持フレーム１１１０の密着力を増大させて水密性を増大させ得る。
【００８４】
また、遮水板１１００が上昇後に停止する場合、支持フレーム１１１０の自重によって下側に作用する圧力が増大して自然的に水密性が増大し得る。
【００８５】
図９は本発明のさらに他の実施例に係る遮水装置の側面図であり、図１０は図９の動作状態を示す図面である。
【００８６】
図９および図１０を参照すると、本発明のさらに他の実施例に係る弾性部材２１３０を利用した遮水装置は遮水板２１００、ガイド部２２００および駆動部２３００を含むことができる。
【００８７】
遮水板２１００は底に配置され、駆動部２３００の動作によって上下に移動することができる。この時、遮水板２１００は水位を感知して動作するように水位センサと連動することができ、水位に応じて高さが制御され得る。
【００８８】
遮水板２１００は底に形成される挿入溝２１６０に挿入配置され得、平常時には外部に露出しない状態で存在していて、挿入溝２１６０から移動して上部に突出するように配置され得る。
【００８９】
遮水板２１００は複数のプレート２１１１が回転可能に連結される胴体部２１１０と胴体部２１１０の外側面を取り囲むように配置される弾性部材２１３０を含むことができる。
【００９０】
胴体部２１１０は遮水板２１００の基本骨格を形成し、金属材質で設けられて水圧を支持することができる。胴体部２１１０は複数のプレート２１１１が結合される構造で設けられ得、一定の厚さを有して水圧に抵抗することができる。胴体部２１１０は水圧に抵抗するための構造を具備することができ、支持力を増大したり曲がることに抵抗するために補強部材（図示されず）が追加で配置され得る。
【００９１】
また、胴体部２１１０はガイド部２２００に沿って回転するために回動可能な連結構造を具備することができる。
【００９２】
弾性部材２１３０は胴体部２１１０の外側面を取り囲むように設けられ得る。弾性部材２１３０はプレート２１１１の連結構造で発生する空間を密閉して、浸水が発生する場合に水が漏れることを防止して水密性を向上し得る。
【００９３】
また、弾性部材２１３０は胴体部２１１０に加えられる衝撃を吸収して胴体部２１１０の破損を防止することができ、浸水時に発生する予期しない漏水を防止することができる。
【００９４】
ガイド部２２００は遮水板２１００の移動をガイドすることができる。ガイド部２２００は遮水板２１００の両側に配置されて遮水板２１００を安定的にガイドすることができる。
【００９５】
一実施例として、ガイド部２２００は建物の壁のように遮水板２１００を支持できる構造物に溝構造で設けられ得、遮水板２１００の一領域が挿入された状態でガイド部２２００に沿って昇降するように誘導することができる。
【００９６】
底に設置される遮水板２１００の自然な昇降のためにガイド部２２００は曲線の領域を具備することができる。この時、ガイド部２２００に沿って上昇された遮水板２１００は傾斜を有するように配置され得る。
【００９７】
駆動部２３００はガイド部２２００に沿って遮水板２１００を移動させることができる。駆動部２３００は駆動モータ２３１０および駆動モータ２３１０と連結されて遮水板２１００を昇降させる連結部２３３０を含むことができる。
【００９８】
駆動モータ２３１０は遮水板２１００と連結されて浸水や洪水発生時に遮水板２１００を上昇させ、遮水が不要な場合、遮水板２１００を下降させることができる。駆動モータ２３１０は電流の方向によって正逆方向に回転して遮水板２１００の移動を調節することができる。
【００９９】
連結部２３３０は駆動モータ２３１０と連結されて遮水板２１００を昇降させることができる。
【０１００】
本発明で連結部２３３０は、一側は遮水板２１００の一側に、他側は遮水板２１００の他側に連結されて閉ループ構造を具備することができ、ガイド部２２００が配置される側壁に沿って配置され得る。一実施例として、連結部２３３０はチェーン構造を具備することができる。チェーン構造の連結部２３３０は複数のローラ２３２０を通じて移動がガイドされ得、ローラ２３２０はチェーンの移動軌跡に沿って位置が調節され得る。
【０１０１】
図１１は図９の構成要素である胴体部２１１０の構造を示す図面であり、図１２は図９の構成要素である遮水板２１００の構造を示す図面である。
【０１０２】
図１１および図１２を参照すると、胴体部２１１０は複数のプレート２１１１が回動可能なように連結される構造を具備することができる。
【０１０３】
プレート２１１１は少なくとも二つ以上の溝部２１１３と少なくとも二つ以上の突起部２１１２を具備することができる。この時、溝部２１１３には隣り合うプレート２１１１に配置される突起部２１１２が配置され、溝部２１１３が形成されるプレート２１１１と突起部２１１２を貫通する回転軸２１１４を含むことができる。
【０１０４】
この時、溝部２１１３と突起部２１１２を通じて連結されるプレート２１１１は若干の離隔距離を具備することができる。これは胴体部２１１０が回転軸２１１４を中心に回転時に隣り合うプレート２１１１の接触を防止することができる。このような離隔空間を通じて発生し得る漏水問題は弾性部材２１３０が解決することができる。一実施例として、プレート２１１１の端部の角は曲面構造を具備して隣り合うプレート２１１１同士の衝突を防止することができる。
【０１０５】
図１１に示されたように、溝部２１１３の個数と突起部２１１２の個数は制限がなく、必要に応じて変形実施され得る。
【０１０６】
また、遮水板２１００は胴体部２１１０の外側を取り囲む弾性部材２１３０を具備することができる。弾性部材２１３０は複数のプレート２１１１が連結される方向を取り囲むように配置され得る。
【０１０７】
遮水板２１００が昇降する場合、胴体部２１１０の下部に配置される弾性部材２１３０は引張され、上部に配置される弾性部材２１３０は圧縮される。このような伸長と収縮を繰り返す場合、弾性部材２１３０と胴体部２１１０の接触面が分離される問題が発生し得る。このような問題を防止するために弾性部材２１３０と胴体部２１１０は結合部２１５０を通じて結合され得る。
【０１０８】
結合部２１５０は弾性部材２１３０と胴体部２１１０を結合する構成であって、構成部品の結合のための多様な公知の構成が利用され得る。
【０１０９】
図１３は、図９を正面から見た図面である。
【０１１０】
図１３を参照すると、ガイド部２２００は遮水板２１００の両側端部が挿入されて移動するように一対の向かい合う溝構造で設けられ、ガイド部２２００の端部にはシーリング部材２２１０が備えられ得る。
【０１１１】
ガイド部２２００は遮水板２１００の両側端部を支持するとともに、移動をガイドすることになる。この時、ガイド部２２００と遮水板２１００は遮水板２１００の移動のための離隔空間を具備することになり、この離隔空間は浸水時に漏水が発生する恐れがある。
【０１１２】
シーリング部材２２１０は浸水や洪水時に水が漏れることを防止するためにガイド部２２００の端部に配置され得る。
【０１１３】
一実施例として、シーリング部材２２１０はガイド部２２００の端部に一側が固定され、他側は自由端構造を具備するように配置され得る。すなわち、シーリング部材２２１０は溝構造で設けられるガイド部２２００に一側が固定され、他側は遮水板と接触しない自由端構造を具備することができる。遮水板２１００とガイド部２２００を密閉するためには、シーリング部材２２１０を通じて遮水板２１００を固定することが最も効果が高い。しかし、本発明の遮水板２１００の構造は平常時には底に配置されていて、浸水や洪水時に昇降する構造であって、固定形態にシーリングされ得ない。
【０１１４】
したがって、本発明のシーリング部材２２１０は一側がガイド部２２００に固定され、他側が自由端形態で設けられて遮水板２１００の昇降を妨害せず、遮水板２１００が上昇し浸水が発生する場合、水圧を通じて水密構造を形成することができる。
【０１１５】
図１４は図９の遮水装置が底に設置された状態を示す図面であり、図１５は図９の遮水装置が底に配置時の開閉部２４００と配置構造を示す図面であり、図１６は図１５の開閉部２４００の動作構造を示す図面である。
【０１１６】
図１４〜図１６を参照すると、本発明の実施例である遮水板２１００は底に形成される挿入溝２１６０に配置され得る。
【０１１７】
このような遮水板２１００は、平常時には歩行者の歩行を妨害しないために、底に形成される挿入溝２１６０に挿入される形態で配置され得る。しかし、挿入溝２１６０の端部すなわち、底に形成される入口が開放された状態で存在する場合、ゴミやその他の異物によって入口が詰まる問題が発生し得、これを通じて遮水板２１００が動作しない問題が発生し得る。
【０１１８】
このような問題を防止するために、挿入溝２１６０の端部には回動可能な開閉部２４００が備えられ得る。
【０１１９】
開閉部２４００は一側にヒンジ構造で連結されて回転することができる。開閉部２４００は平常時には挿入溝２１６０の端部を覆って異物の流入や歩行者事故を防止することができ、遮水板２１００が上昇する場合、遮水板２１００に押されて自動で開放される構造を具備することができる。
【０１２０】
一実施例として、開閉部２４００の端部は傾斜または曲面の構造を具備することができる。
【０１２１】
これは平面状態で挿入溝２１６０の内部に存在する遮水板２１００が上昇する場合、開閉部２４００の一領域と接触することになる。開閉部２４００の端部が傾斜または曲面の構造で設けられて、遮水板２１００と接触時に回転を容易にすることができる。
【０１２２】
このように、本発明の一実施例である弾性部材２１３０を利用した遮水装置は、人が直接遮水板２１００を設置せずとも浸水を遮断することができ、浸水状態に応じて昇降可能なように設けられて現場の状況に適切に対応できる効果がある。
【０１２３】
また、平常時に遮水装置に対する衝撃を弾性部材２１３０が吸収して耐久性を増大させ、浸水時に予期しない漏水現象を防止できる効果がある。
【０１２４】
以上、本発明の実施例について添付された図面を参照して具体的に詳察した。
【０１２５】
以上の説明は本発明の技術思想を例示的に説明したものに過ぎず、本発明が属する技術分野で通常の知識を有する者であれば、本発明の本質的な特性から逸脱しない範囲内で多様な修正、変更および置換が可能であろう。したがって、本発明に開示された実施例および添付された図面は、本発明の技術思想を限定するためのものではなく説明するためのものであって、このような実施例および添付された図面によって本発明の技術思想の範囲が限定されるものではない。本発明の保護範囲は下記の特許請求の範囲によって解釈されるべきであり、それと同等な範囲内にあるすべての技術思想は本発明の権利範囲に含まれるものと解釈されるべきである。
【符号の説明】
【０１２６】
１：遮水装置
１０：底
２０：側壁
１１００：遮水板
１１１０：支持フレーム
１１１１：結合部
１１１３：挿入ホール
１１２０：連結部
１１２１：連結胴体
１１２３：挿入部
１１２５：突出部
１１５０：防水部材
１２００：ガイドレール
１３００：駆動部
１４００：水位計
１５００：制御部
２１００：遮水板
２１１０：胴体部
２１１１：プレート
２１１２：突起部
２１１３：溝部
２１１４：回転軸
２１３０：弾性部材
２１５０：結合部
２１６０：挿入溝
２２００：ガイド部
２２１０：シーリング部材
２３００：駆動部
２３１０：駆動モータ
２３２０：ローラ
２３３０：連結部
２４００：開閉部
【図１】
2021531427.tif 000003
【図２】
2021531427.tif 000004
【図３】
2021531427.tif 000005
【図４】
2021531427.tif 000006
【図５】
2021531427.tif 000007
【図６】
2021531427.tif 000008
【図７】
2021531427.tif 000009
【図８】
2021531427.tif 000010
【図９】
2021531427.tif 000011
【図１０】
2021531427.tif 000012
【図１１】
2021531427.tif 000013
【図１２】
2021531427.tif 000014
【図１３】
2021531427.tif 000015
【図１４】
2021531427.tif 000016
【図１５】
2021531427.tif 000017
【図１６】
2021531427.tif 000018
【国際調査報告】
2021531427.tif 000019
2021531427.tif 000020
2021531427.tif 000021
2021531427.tif 000022